(57)【要約】【課題】後処理後の出力物の品質を向上させる。【解決手段】ジョブに基づいて転写媒体に画像を形成する画像形成部を制御する制御部を有し、制御部は、画像形成部によって転写媒体上に形成された画像の読取結果を取得して画像形成部における画像調整を行う制御が可能であり、画像形成がされた転写媒体に後処理を行う場合、後処理の結果によって転写媒体が互いに近接する領域があるときに、互いに近接する前記領域の内で設定された互いの領域を１つのまとまりの領域として画像調整を行う制御が可能である。【選択図】図９
2018189728.tif 000002
【特許請求の範囲】
【請求項１】
ジョブに基づいて転写媒体に画像を形成する画像形成部を制御する制御部を有し、
前記制御部は、前記画像形成部によって転写媒体上に形成された画像の読取結果を取得して前記画像形成部における画像調整を行う制御が可能であり、
画像形成がされた転写媒体に後処理を行う場合、前記後処理の結果によって転写媒体が互いに近接する領域があるときに、互いに近接する前記領域の内で設定された互いの領域を１つのまとまりの領域として前記画像調整を行う制御が可能であることを特徴とする画像処理装置。
【請求項２】
前記制御部は、後処理の結果により近接する転写媒体の領域を割り出し、前記領域の内で１つのまとまりとする領域を決定することを特徴とする請求項１記載の画像処理装置。
【請求項３】
前記制御部は、転写媒体情報と後処理内容に基づいて後処理の結果により近接する転写媒体の領域を割り出すことを特徴とする請求項２記載の画像処理装置。
【請求項４】
設定された互いの領域は、機械設定またはオペレーターの操作によって決定されるものであることを特徴とする請求項１記載の画像処理装置。
【請求項５】
前記画像調整が画像の位置合わせであることを特徴とする請求項１〜４のいずれか１項に記載の画像処理装置。
【請求項６】
前記制御部は、画像形成部によって、設定された互いの前記領域に位置ずれを測定するための測定マークを転写媒体に印刷し、
画像の読取結果に基づいて測定位置毎の補正量を演算し、
演算した補正値により画像位置を補正することを特徴とする請求項５記載の画像処理装置。
【請求項７】
前記画像調整が画像の濃度合わせであることを特徴とする請求項１〜６のいずれか１項に記載の画像処理装置。
【請求項８】
前記制御部は、設定された互いの前記領域に、領域面内の濃度むらを測定するための色パッチを転写媒体に印刷し、
画像の読取結果に基づいて測定位置毎の補正量を演算し、
演算した補正値により濃度むらを補正することを特徴とする請求項７記載の画像処理装置。
【請求項９】
前記後処理が、転写媒体の折り処理または／および綴じ処理を含むものであることを特徴とする請求項１〜８のいずれか１項に記載の画像処理装置。
【請求項１０】
前記後処理が内三つ折りであり、設定された互いの領域が、前記転写媒体の第一面の中央部分および前記転写媒体の第二面の端部であることを特徴とする請求項９記載の画像処理装置。
【請求項１１】
前記後処理が中綴じであり、設定された互いの領域が、前記転写媒体の第一面の中央部分と前記転写媒体の第二面の中央部分であることを特徴とする請求項９記載の画像処理装置。
【請求項１２】
前記後処理がＺ折りであり、設定された互いの領域が、前記転写媒体の第一面の中央部分および前記転写媒体の前記第一面の端部付近の領域であることを特徴とする請求項９記載の画像処理装置。
【請求項１３】
前記後処理が観音折りであり、設定された互いの領域が、前記転写媒体の第一面の中央部と、前記転写媒体の第二面の端部であることを特徴とする請求項９記載の画像処理装置。
【請求項１４】
前記後処理は四つ折りであり、設定された互いの領域が、前記転写媒体の一面の中央部と、同一面の端部付近の領域であることを特徴とする請求項９記載の画像処理装置。
【請求項１５】
前記後処理は、一枚の転写媒体を単位として行われるものであることを特徴とする請求項１〜１４のいずれか１項に記載の画像処理装置。
【請求項１６】
前記後処理は、複数枚の転写媒体を単位として行われるものであることを特徴とする請求項１〜１４のいずれか１項に記載の画像処理装置。
【請求項１７】
前記制御部は、前記ジョブの出力を行う前に、前記画像形成部によって転写媒体に調整用チャートを出力し、前記調整用チャートを読みとった読取結果に基づいて、画像調整を行うことを特徴とする請求項１〜１６のいずれか１項に記載の画像処理装置。
【請求項１８】
前記調整用チャートは、位置合わせ用画像であることを特徴とする請求項１７記載の画像処理装置。
【請求項１９】
前記調整用チャートは、濃度調整に用いられる濃度調整用画像であることを特徴とする請求項１７または１８に記載の画像処理装置。
【請求項２０】
前記画像形成部を備える画像形成装置であることを特徴とする請求項１〜１９のいずれか１項に記載の画像処理装置。
【請求項２１】
前記転写媒体上の画像を読み取る画像読取部を備えることを特徴とする請求項１〜２０のいずれか１項に記載の画像処理装置。
【請求項２２】
画像形成装置を管理する管理装置であることを特徴とする請求項１〜２１のいずれか１項に記載の画像処理装置。
【請求項２３】
ジョブに基づいて画像形成部により転写媒体に画像を形成する際の画像処理方法であって、
転写媒体上に形成された画像の読取結果を取得して前記画像形成部における画像調整を行うステップを有し、
画像形成がされた転写媒体に後処理を行う場合、前記後処理の結果によって転写媒体が互いに近接する領域があるときに、互いに近接する前記領域の内で設定された互いの領域を１つのまとまりの領域として前記画像調整を行うことを特徴とする画像処理方法。
【請求項２４】
ジョブに基づいて転写媒体に画像を形成する画像形成部を制御する制御部で実行されるプログラムであって、
転写媒体上に形成された画像の読取結果を取得して前記画像形成部における画像調整を行うステップを有し、
画像形成がされた転写媒体に後処理を行う場合、前記後処理の結果によって転写媒体が互いに近接する領域があるときに、互いに近接する前記領域の内で設定された互いの領域を１つのまとまりの領域として前記画像調整を行うことを特徴とするプログラム。
【発明の詳細な説明】
【技術分野】
【０００１】
この発明は、画像形成部によって転写媒体上に形成された画像の読取結果を取得して前記画像形成部における画像調整を行うことが可能な画像処理装置、画像処理方法およびプログラムに関する。
【背景技術】
【０００２】
電子写真方式の画像形成装置で印刷を行う場合、出力物における画像の位置ずれや濃度むらなどが発生することがある。位置ずれや濃度むらは印刷の過程で起こるものであり、例えば、位置ずれに関しては、用紙の搬送中に走査方向に対してテンションがかかることにより倍率の変化が生じ、また用紙が蛇行することにより副走査方向のスキューが生じてしまう。また、濃度むらは、画像形成を行う感光体の形状や摩耗などによって１枚の用紙内においても生じ得る。
これらの位置ずれや濃度むらが発生するとユーザーが期待した出力物が得られないため、位置ずれや濃度むらがないのが望ましい。
【０００３】
印刷の際に発生する位置ずれや濃度むらを補正する技術としては、トンボや色パッチ等の調整用画像を印刷した調整用チャートを出力し、出力された調整用チャートを読み取り、読取結果に基づいて位置ずれや濃度むらが発生しているかを測定し、測定結果に基づいて画像形成部の補正を行う方法が知られている。また、印刷用画像と読取画像とを比較して位置ずれや濃度むらを判定することも可能である。
例えば位置ずれであれば、調整用チャート上の複数の位置に十字のトンボマークを印刷し、各トンボマークの中心点間の距離を測定することで、位置ずれが発生しているかを測定することができる。
また、特許文献１では、用紙の表面の画像形成位置と当該用紙の裏面の画像形成位置とを簡便に位置合わせできるようにするために、用紙の表裏の四隅に十字形状のマーク画像を印刷し、表裏におけるマーク画像の位置のずれ量に基づいて画像の印刷位置の補正を行っている。
【先行技術文献】
【特許文献】
【０００４】
【特許文献１】特開２００６−１１２８５号公報
【発明の概要】
【発明が解決しようとする課題】
【０００５】
ところで、印刷後の出力物に対しては折りなどの後処理を施すことがある。特に長尺用紙を用いる場合には、印刷後の用紙に対して三つ折り、Ｚ折り、観音折りなどの後処理を行うことが多い。その場合、後処理を行うことにより、元々は離れていた箇所が近づくことになる。この時に、後処理によって近づいた箇所同士に位置ずれや濃度差があると、それらの箇所において位置ずれや濃度差が目立ちやすくなってしまう。具体的には、折りによって重なる部分で画像が連結している場合や、当該部分に同じ大きさの表が配置されている場合に、位置ずれや濃度むらが特に目立ってしまう。そのため、後処理によって近づく箇所の位置や濃度差が補正されていることが望ましい。
特許文献１に記載された技術は後処理の内容を考慮するものではなく、上記課題を解決することができない。
【０００６】
本発明は上記課題を背景としてなされたものであり、後処理後の出力物の品質を向上させることが可能な画像処理装置、プログラム、および画像処理方法を提供することを目的とする。
【課題を解決するための手段】
【０００７】
すなわち、本発明の画像処理装置のうち、第１の本発明は、ジョブに基づいて転写媒体に画像を形成する画像形成部を制御する制御部を有し、
前記制御部は、前記画像形成部によって転写媒体上に形成された画像の読取結果を取得して前記画像形成部における画像調整を行う制御が可能であり、
画像形成がされた転写媒体に後処理を行う場合、前記後処理の結果によって転写媒体が互いに近接する領域があるときに、互いに近接する前記領域の内で設定された互いの領域を１つのまとまりの領域として前記画像調整を行う制御が可能であることを特徴とする。
【０００８】
他の形態の画像処理装置は、前記形態の発明において、前記制御部は、後処理の結果により近接する転写媒体の領域を割り出し、前記領域の内で１つのまとまりとする領域を決定することを特徴とする。
【０００９】
他の形態の画像処理装置は、前記形態の発明において、前記制御部は、転写媒体情報と後処理内容に基づいて後処理の結果により近接する転写媒体の領域を割り出すことを特徴とする。
【００１０】
他の形態の画像処理装置は、前記形態の発明において、設定された互いの領域は、機械設定またはオペレーターの操作によって決定されるものであることを特徴とする。
【００１１】
他の形態の画像処理装置は、前記形態の発明において、前記画像調整が画像の位置合わせであることを特徴とする。
【００１２】
他の形態の画像処理装置は、前記形態の発明において、前記制御部は、画像形成部によって、設定された互いの前記領域に位置ずれを測定するための測定マークを転写媒体に印刷し、
画像の読取結果に基づいて測定位置毎の補正量を演算し、
演算した補正値により画像位置を補正することを特徴とする。
【００１３】
他の形態の画像処理装置は、前記形態の発明において、前記画像調整が画像の濃度合わせであることを特徴とする。
【００１４】
他の形態の画像処理装置は、前記形態の発明において、前記制御部は、設定された互いの前記領域に、領域面内の濃度むらを測定するための色パッチを転写媒体に印刷し、
画像の読取結果に基づいて測定位置毎の補正量を演算し、
演算した補正値により濃度むらを補正することを特徴とする。
【００１５】
他の形態の画像処理装置は、前記形態の発明において、前記後処理が、転写媒体の折り処理または／および綴じ処理を含むものであることを特徴とする。
【００１６】
他の形態の画像処理装置は、前記形態の発明において、前記後処理が内三つ折りであり、設定された互いの領域が、前記転写媒体の第一面の中央部分および前記転写媒体の第二面の端部であることを特徴とする。
【００１７】
他の形態の画像処理装置は、前記形態の発明において、前記後処理が中綴じであり、設定された互いの領域が、前記転写媒体の第一面の中央部分と前記転写媒体の第二面の中央部分であることを特徴とする。
【００１８】
他の形態の画像処理装置は、前記形態の発明において、前記後処理がＺ折りであり、設定された互いの領域が、前記転写媒体の第一面の中央部分および前記転写媒体の前記第一面の端部付近の領域であることを特徴とする。
【００１９】
他の形態の画像処理装置は、前記形態の発明において、前記後処理が観音折りであり、設定された互いの領域が、前記転写媒体の第一面の中央部と、前記転写媒体の第二面の端部であることを特徴とする。
【００２０】
他の形態の画像処理装置は、前記形態の発明において、前記後処理は四つ折りであり、設定された互いの領域が、前記転写媒体の一面の中央部と、同一面の端部付近の領域であることを特徴とする。
【００２１】
他の形態の画像処理装置は、前記形態の発明において、前記後処理は、一枚の転写媒体を単位として行われるものであることを特徴とする。
【００２２】
他の形態の画像処理装置は、前記形態の発明において、前記後処理は、複数枚の転写媒体を単位として行われるものであることを特徴とする。
【００２３】
他の形態の画像処理装置は、前記形態の発明において、前記制御部は、前記ジョブの出力を行う前に、前記画像形成部によって転写媒体に調整用チャートを出力し、前記調整用チャートを読みとった読取結果に基づいて、画像調整を行うことを特徴とする。
【００２４】
他の形態の画像処理装置は、前記形態の発明において、前記調整用チャートは、位置合わせ用画像であることを特徴とする。
【００２５】
他の形態の画像処理装置は、前記形態の発明において、前記調整用チャートは、濃度調整に用いられる濃度調整用画像であることを特徴とする。
【００２６】
他の形態の画像処理装置は、前記形態の発明において、前記画像形成部を備える画像形成装置であることを特徴とする。
【００２７】
他の形態の画像処理装置は、前記形態の発明において、前記転写媒体上の画像を読み取る画像読取部を備えることを特徴とする。
【００２８】
他の形態の画像処理装置は、前記形態の発明において、画像形成装置を管理する管理装置であることを特徴とする。
【００２９】
本発明の画像処理方法は、ジョブに基づいて画像形成部により転写媒体に画像を形成する際の画像処理方法であって、
転写媒体上に形成された画像の読取結果を取得して前記画像形成部における画像調整を行うステップを有し、
画像形成がされた転写媒体に後処理を行う場合、前記後処理の結果によって転写媒体が互いに近接する領域があるときに、互いに近接する前記領域の内で設定された互いの領域を１つのまとまりの領域として前記画像調整を行うことを特徴とする。
【００３０】
本発明のプログラムは、ジョブに基づいて転写媒体に画像を形成する画像形成部を制御する制御部で実行されるプログラムであって、
転写媒体上に形成された画像の読取結果を取得して前記画像形成部における画像調整を行うステップを有し、
画像形成がされた転写媒体に後処理を行う場合、前記後処理の結果によって転写媒体が互いに近接する領域があるときに、互いに近接する前記領域の内で設定された互いの領域を１つのまとまりの領域として前記画像調整を行うことを特徴とする。
【発明の効果】
【００３１】
本発明によれば、後処理の結果によって転写媒体が互いに近接する領域があるときに、互いに近接する前記領域の内で設定された互いの領域を１つのまとまりの領域として画像調整を行うので、出力物の品質を向上することが可能となる。
【図面の簡単な説明】
【００３２】
【図１】本発明の画像処理装置の一実施形態である画像形成装置の機械的構成の概略を示す図である。
【図２】同じく、機能ブロック図である。
【図３】同じく、後処理として内三つ折りを行う場合の問題点を示す図である。
【図４】同じく、後処理として内三つ折りを行う場合のトンボの印字位置を示す図である。
【図５】同じく、後処理として中綴じを行う場合のトンボの印字位置を示す図である。
【図６】同じく、後処理としてＺ折りを行う場合のトンボの印字位置を示す図である。
【図７】同じく、後処理として観音折りを行う場合のトンボの印字位置を示す図である。
【図８】同じく、後処理として四つ折りを行う場合のトンボの印字位置を示す図である。
【図９】同じく、トンボの印字位置を決定する手順を示すフローチャートである。
【発明を実施するための形態】
【００３３】
以下に、本発明の画像処理装置の一実施形態を説明する。
図１は、本発明の画像処理装置の一実施形態である画像形成装置の機械的概略を示す図である。
画像形成装置１は、用紙搬送方向の上流側から順番に、大容量の給紙段を有する給紙装置４０と、用紙に画像を形成する装置本体１０と、用紙上の画像の読み取りを行う読取装置２０と、用紙に後処理を行う後処理装置３０と、を備えている。各装置は電気的および機械的に接続されており、装置間での通信および用紙の搬送が可能となっている。
【００３４】
本実施形態では、これらの装置によって画像形成装置１が構成されているものとしているが、本発明としては画像形成装置の構成がこれに限定されるものではない。例えば、装置本体１０と読取装置２０とで画像形成装置が構成されるものでもよく、また、装置本体１０のみで画像形成装置を構成し、読取装置２０、後処理装置３０、大容量給紙装置４０などを備えるものを画像形成システムとして構成してもよい。また、読取装置は。装置本体内に備えられるものであってもよく、画像形成装置と、読取装置とが機械的にオフラインとなっているものであってもよい。画像形成装置と読取装置とは電気的にインラインとなるものでもよく、また、電気的にもオフラインで読取結果を適宜の方法によって画像形成装置に取り込み可能なものとしてもよい。さらに、読取装置の読取結果は画像形成装置には与えず、管理装置などに送信するものとしてもよい。
【００３５】
給紙装置４０は、複数の給紙段を備えており、各給紙段には用紙が収納される。給紙段内の用紙は装置本体１０の搬送経路１３へ搬送され、装置本体１０にて画像形成に供される。用紙は、本発明の転写媒体に相当する。なお、本発明としては転写媒体の材質は紙に限定されず、布やプラスチックからなる媒体であってもよい。また、本発明の転写媒体は、用紙が連続した連続紙などの連続転写媒体であってもよく、画像形成前や画像形成後にカットするものとしてもよい。
給紙装置の４０の後段には装置本体１０が接続されている。
【００３６】
装置本体１０は、その筐体の上部に操作部１４０を備えている。操作部１４０は、タッチパネル式のＬＣＤ１４１とテンキー等の操作キー群とを有しており、情報の表示および操作入力の受付が可能となっている。
【００３７】
装置本体１０は、さらに、筐体の上部に自動原稿給送装置（ＡＤＦ）１４を備えている。自動原稿給送装置（ＡＤＦ）１４は、原稿載置台にセットされた原稿を自動で給送するものであり、自動原稿給送装置（ＡＤＦ）１４で給送される原稿は、図２で示されるスキャナー部１３０によって読み取られる。なお、原稿の読み取りは図示しないプラテンガラス上で行うことも可能である。
【００３８】
装置本体１０の内部には、下部側に本体給紙部１２が備えられている。本体給紙部１２には用紙が収納されており、本体給紙部１２内の用紙は搬送経路１３へ搬送される。用紙は、本発明の転写媒体に相当する。なお、本体給紙部１２における転写媒体も大容量給紙装置４０と同様に用紙以外の材質のものを用いることができる。
装置本体１０内の搬送経路１３の周囲には図示しないローラー等が設けられており、搬送経路１３は、給紙装置４０または本体給紙部１２から供給された用紙を搬送することができる。
【００３９】
さらに、搬送経路１３の途中に、用紙に画像を形成する画像形成部１１が設けられている。
画像形成部１１は、各色用（シアン、マゼンタ、イエロー、ブラック）用の感光体１１ａを有しており、感光体１１ａの周囲には、図示しない帯電器、ＬＤ、現像器、クリーニング部等が備えられている。また、画像形成部１１は、各色用の感光体１１ａと接触可能な位置に中間転写ベルト１１ｂを有している。中間転写ベルト１１ｂは、その途中に設けられた二次転写部１１ｃにおいて搬送経路１３上の用紙と接触する。また、搬送経路１３では、二次転写部１１ｃよりも下流側の位置に定着部１１ｄが備えられている。
用紙に画像形成を行う場合は、帯電器によって帯電された感光体１１ａにＬＤによってレーザー光が照射されて潜像が形成され、感光体１１ａに形成された潜像が現像器によってトナー像となる。感光体上のトナー像は中間転写ベルト１１ｂに転写され、転写された画像が二次転写部１１ｃによって用紙に転写される。その後、定着器１１ｄによって用紙上の画像の定着が行われる。
【００４０】
また、搬送経路１３からは、定着器１１ｄの下流側で反転搬送経路１３ａが分岐している。反転搬送経路１３ａからは、下流搬送経路１３ｃが分岐しており、その下流側では退避搬送経路１３ｂが分岐している。反転搬送経路１３ａは、退避搬送経路１３ｂが分岐した以降の下流側では、画像形成部１１よりも上流側で搬送経路１３に合流している。
【００４１】
反転搬送経路１３ａに搬送された用紙は、表裏の反転のみを行う場合は、一旦退避搬送経路１３ｂに送られた後、逆走して下流搬送経路１３ｃに送られる。下流搬送経路１３ｃは、搬送方向下流側で搬送経路１３に合流しており、下流搬送経路１３ｃに送られる用紙は、表裏の反転が行われた状態で搬送経路１３を通って下流側に搬送される。
用紙を反転して画像形成部１１に環流する場合、用紙は、反転搬送経路１３ａから一旦退避搬送経路１３ｂに送られ、逆方向に搬送されて下流側の反転搬送経路１３ａに送られ、画像形成部１１の上流側で搬送経路１３に合流させ、その後、用紙の裏面側への画像形成が行われる。
画像形成後の用紙は、後段の読取装置２０の搬送経路２３へ搬送される。
【００４２】
装置本体１０には制御部１００を有している。制御部１００は画像形成装置１全体を制御するものであり、ＣＰＵ、および、ＣＰＵで実行されるプログラム、パラメータ等を格納し、作業領域となる記憶部などによって構成される。なお、制御部は装置本体外に設けられるものであってもよい。
【００４３】
読取装置２０は、用紙の搬送が可能な搬送経路２３を有している。搬送経路２３の途中には、用紙搬送順において、搬送される用紙の下面の画像の読み取りを行う画像読取部２４と、用紙の上面の画像の読み取りを行う画像読取部２５とが備えられている。読み取りによって取得された画像データ等は装置本体１０の制御部１００に送信され、制御部１００では、取得した画像データに基づいて各種の処理や画像形成部１１の調整等を行うことができる。
【００４４】
画像読取部２４、２５は、ＣＣＤセンサーやＣＭＯＳセンサー等によって構成され、用紙の幅方向全面の画像の読み取りを行うことが可能である。なお、本発明としては画像読取部２４の構成は特定の構成に限定されず、例えば、ポイントで画像を読み取って色の測定を行う測色器を用いることも可能であり、画像読取部の構成が特定のものに限定されない。また、画像読取部の数は特に限定されるものではなく、１つの画像読取部を有するものとしてもよい。１つの画像読取部で用紙の両面の画像を読み取る場合は、用紙の片面を読み取った後で反転をさせて他面側の読取を行うようにしてもよい。
搬送経路２３は、後段の後処理装置３０の搬送経路３３に接続されている。
【００４５】
後処理装置３０は、用紙の搬送が可能な搬送経路３３を備えている。
搬送経路３３は、分岐して第１排紙部３１および第２排紙部３２に接続されており、第２排紙部３２に至る搬送経路３３の中途に後処理部３４が設けられている。後処理部３４は、所定の後処理を実行することが可能である。後処理としては、例えば、ステープル、パンチ、冊子処理などの適宜の処理や、折りを含む後処理、例えば、内三つ折り、中綴じ、Ｚ折り、観音折り、四つ折り等の処理を行うことが可能である。後処理部３４では、複数の後処理を行うものであってもよい。
後処理が行われた用紙は第２排紙部３２に排紙され、後処理を行わない用紙は第１排紙部３１に排紙することができる。なお、後処理を行わない用紙を第２排紙部３２に排紙するようにしてもよい。
【００４６】
上記実施形態では、複数色の画像形成を前提にして説明しているが、画像形成装置が単色の画像形成を行うものであってもよい。
【００４７】
次に、画像形成装置１の制御ブロックを図２に基づいて説明する。
図２は、本実施形態のデジタル複合機（コピア・プリンタ・スキャナー）として機能する画像形成装置１の構成、および画像形成システムを構成するネットワーク構成を示すブロック図である。なお、図２では、装置本体１０以外の制御構成は省略している。
【００４８】
画像形成装置１は、制御ブロック１１０、スキャナー部１３０、操作部１４０、およびプリンター部１５０からなるデジタルコピア本体と、画像処理部（プリント＆スキャナーコントローラー）１６０とを備えており、画像形成装置１には、ネットワーク３を介して外部装置４が接続されている。
【００４９】
まず、画像形成装置１のデジタルコピア本体について説明する。
制御ブロック１１０は、画像形成装置１全体の制御を行う制御ＣＰＵ１１３を備えており、制御ＣＰＵ１１３には、作業領域となるＲＡＭのほか、情報を記憶するＲＯＭ１１４および不揮発メモリー１１５が接続されている。不揮発メモリー１１５には、画像形成装置１を動作させるためのプログラムや画像形成装置を動作させるための動作パラメーター、画像調整時のパラメータ、後処理結果によって用紙が近接する領域を割り出すためのパラメーター、近接する領域の内でひとまとまりにして画像調整を行う領域を決定するパラメーター等が記憶されている。制御ＣＰＵ１１３は、プログラムおよびパラメータなどによって所定の処理を実行して画像形成装置１の制御を行うことができる。
【００５０】
なお、プログラムやパラメータ等は不揮発メモリー１１５やＲＯＭ１１４に記憶することができ、また、後述するＨＤＤ１２７に記憶されていてもよい。また、プログラムは、外部装置４内の記憶部や、ネットワーク３に接続された他の記憶部、画像形成装置１に接続されたリムーバブルなメディアに記憶されていてもよく、本発明としてはプログラム等の格納場所は特に限定されない。本発明のプログラムは、持ち運び可能な記憶部などに格納されて流通、移動するものであってもよく、また、ネットワークなどを通して制御部１００の記憶部に格納されたものであってもよい。
制御ＣＰＵ１１３は、画像形成の制御や、調整用チャートの出力、後処理内容に基づく調整用画像の位置の決定、調整用画像の読取結果に基づく画像形成の調整等を行うことができる。調整用チャートは、不揮発メモリー１１５やＲＯＭ１１４、ＨＤＤ１２７などに格納することができ、必要に応じて制御ＣＰＵ１１３によって読み出され、画像形成に利用される。
【００５１】
制御ＣＰＵ１１３には、さらに、ＩＯ１２８が接続されている。ＩＯ１２８は、デジタルコピア本体に接続された各種の装置からの信号の取得が可能となっており、例えば、画像読取部２４、２５で取得した読取結果を受信することができる。
【００５２】
制御ＣＰＵ１１３には、ＤＲＡＭ制御ＩＣ１１１が接続されている。ＤＲＡＭ制御ＩＣ１１１は、制御ＣＰＵ１１３からの制御指示に基づいて動作する。
ＤＲＡＭ制御ＩＣ１１１には、画像データを格納可能な画像メモリー（ＤＲＡＭ）１２０が接続されている。画像メモリー（ＤＲＡＭ）１２０は、圧縮された画像データやジョブ管理情報等のデータを格納するための圧縮メモリー１２１と、画像形成直前の非圧縮の画像データを一時的に保存するページメモリー１２２とを有している。
【００５３】
ＤＲＡＭ制御ＩＣ１１１には、さらに、画像データの圧縮処理を行う圧縮ＩＣ１１８が接続されている。圧縮ＩＣ１１８は、例えば、スキャナー部１３０で読み取った原稿の画像データに対して圧縮処理を行うことができる。
圧縮ＩＣ１１８には、読み取った画像データに対して所定の処理を行う読み取り処理部１１６が接続されている。読み取り処理部１１６には、スキャナー部１３０のＣＣＤ１３１が接続されている。
【００５４】
スキャナー部１３０は、用紙上の画像を光学的に読み取るＣＣＤ１３１と、スキャナー部１３０の制御を行うスキャナー制御部１３２とを備えている。ＣＣＤ１３１は、スキャナー制御部１３２の制御を受けて、ＡＤＦ（自動原稿給送装置）１４で給送される原稿またはプラテンガラス上の原稿の画像の読み取りを行うことができる。ＣＣＤ１３１は制御ブロック１１０の読み取り処理部１１６へ接続されており、ＣＣＤ１３１が取得した画像データは読み取り処理部１１６へ送信される。
読み取り処理部１１６では、ＣＣＤ１３１から入力されたアナログ画像信号に、アナログ信号処理、Ａ／Ｄ（Ａｎａｌｏｇ  ｔｏ  Ｄｉｇｉｔａｌ）変換処理、シェーディング処理等の各種処理を施し、デジタル画像データを生成する。
スキャナー制御部１３２は、制御ＣＰＵ１１３とシリアル通信可能に接続されており、制御ＣＰＵ１１３からの制御指示に基づいてスキャナー部１３０の各部の制御を行う。
【００５５】
ＤＲＡＭ制御ＩＣ１１１には、さらに、画像データの伸長処理を行う伸長ＩＣ１２５が接続されている。伸長ＩＣ１２５は、例えば、圧縮メモリー１２１に格納された圧縮画像データを伸長し、画像形成用のページ画像データとすることができる。
伸長ＩＣ１２５には、画像データをＬＤへの書き込みデータに変換する書き込み処理部１２６が接続されており、書き込み処理部１２６は、プリンター部１５０のＬＤ１５１に接続されている。
【００５６】
プリンター部１５０は、感光体１１ａに対して画像の書き込みを行うＬＤ１５１と、プリンター部１５０の全体を制御するプリンター制御部１５２とを備えている。プリンター制御部１５２は制御ＣＰＵ１１３に接続されており、制御ＣＰＵ１１３からの制御指示を受けてプリンター部１５０の制御を行い、用紙の搬送、画像形成等の制御を行うことができる。ＬＤ１５１は、各色毎に用意されており、画像形成部１１に含まれている構成である。
【００５７】
ＤＲＡＭ制御ＩＣ１１１には、さらに、ＰＣＩバス１１２が接続されている。ＰＣＩバス１１２の他端側は、画像処理部（プリント＆スキャナーコントローラー）１６０のＤＲＡＭ制御ＩＣ１６１と接続されており、ＤＲＡＭ制御ＩＣ１１１はＰＣＩバス１１２を介して画像処理部（プリント＆スキャナーコントローラー）１６０との間でデータの送受を行うことが可能である。
また、ＰＣＩバス１１２には、情報を記憶するＨＤＤ１２７が接続されている。ＤＲＡＭ制御ＩＣ１１３は、ＨＤＤ１２７へのデータの書き込みおよび読み出しを実行することができる。
【００５８】
操作部１４０は、情報の表示および操作入力の受付が可能なタッチパネル式のＬＣＤ１４１と、操作部全体を制御する操作部制御部１４２とを備えている。操作部制御部１４２は、制御ＣＰＵ１１３にシリアル通信可能に接続されており、制御ＣＰＵ１１３からの制御指示に基づいて操作部１４０の制御を行うことができる。
また、操作部１４０では、画像形成装置１の各部に対する各種の設定が可能であり、その設定に基づいて制御ＣＰＵ１１３によって画像形成と用紙の搬送や後処理の制御が実行される。さらに、操作部１４０では、画像形成装置１における印刷設定や動作制御条件などの機械設定入力、出力などに関する設定や、後処理の設定、調整用チャート印刷の有無の設定、画像調整の実行有無、後処理の結果によって近接する用紙の領域の内で、ひとまとまりにして画像調整を行う領域の設定等が可能になっている。
【００５９】
次に、画像処理部（プリント＆スキャナーコントローラー）１６０について説明する。
画像処理部（プリント＆スキャナーコントローラー）１６０は、外部装置４から受信する画像データの処理を行うことができるほか、画像データを、ネットワーク３を通して外部装置４などの外部機器に転送することができる。
画像処理部（プリント＆スキャナーコントローラー）１６０は、ＤＲＡＭ制御ＩＣ１６１を有しており、ＤＲＡＭ制御ＩＣ１６１には、ＰＣＩバス１１２を介して制御ブロック１１０のＤＲＡＭ制御ＩＣ１１１が接続されている。
画像処理部（プリント＆スキャナーコントローラー）１６０は、画像形成装置をネットワークプリンターやネットワークスキャナーとして使用する場合に、ネットワーク３に接続される外部装置４などから画像データ等を画像形成装置１で受信したり、スキャナー部１３０で取得した画像データをネットワーク３に接続される外部装置４などに送信したりすることができる。
【００６０】
画像処理部（プリント＆スキャナーコントローラー）１６０では、ＤＲＡＭ制御ＩＣ１６１に、ＤＲＡＭなどで構成される画像メモリー（ＤＲＡＭ）１６２が接続されている。また、画像処理部（プリント＆スキャナーコントローラー）１６０では、共通バスに、ＤＲＡＭ制御ＩＣ１６１と、画像処理部（プリント＆スキャナーコントローラー）１６０全体の制御を行うコントローラー制御ＣＰＵ１６３と、ＬＡＮインターフェース１６５と、ＨＤＤ１６６と、が接続されている。ＬＡＮインターフェース１６５は、ネットワーク３に接続されている。ネットワーク３には、外部装置４が接続されている。
【００６１】
外部装置４は、外部装置４の制御を行う外部装置制御部４００と、情報の表示および操作入力の受付を行う表示操作部４１０とを有している。
外部装置制御部４００は、ＣＰＵ、および、プログラムや動作パラメータを格納した記憶部などにより構成される。
本発明のプログラムは、持ち運び可能な記憶部などに格納されて流通、移動するものであってもよく、また、ネットワークなどを通して外部装置制御部４００の記憶部に格納されたものであってもよい。
【００６２】
なお、外部装置４は、画像形成装置１を管理する管理装置として動作するものであってもよい。その場合、外部装置４は本発明の画像処理装置の一形態であり、外部装置制御部４００は、画像形成装置を管理する制御部に相当する。すなわち、この場合、外部装置制御部４００は、画像形成部によって転写媒体上に形成された画像の読取結果を取得して画像形成部における画像調整を行う制御が可能であり、画像形成がされた転写媒体に後処理を行う場合、後処理の結果によって転写媒体が互いに近接する領域があるときに、互いに近接する前記領域の内で設定された互いの領域を１つのまとまりの領域として画像調整を行う制御が可能である
【００６３】
次に、画像形成装置１の基本動作について説明する。
まず、画像形成装置１において画像データを蓄積する手順について説明する。
第１に、画像形成装置１のスキャナー部１３０で画像を読み取る場合について説明する。
制御ＣＰＵ１１３は、操作部１４０による操作に基づいてスキャナー部１３０への指令を発行する。スキャナー部１３０では、制御ＣＰＵ１１３から指令を受けたスキャナー制御部１３２がＣＣＤ１３１の動作制御を行い、ＣＣＤ１３１は、スキャナー制御部１３２の制御に基づいて、自動原稿搬送装置（ＡＤＦ）１４で給送される原稿、または、プラテンガラス上の原稿の画像を光学的に読み取る。
【００６４】
ＣＣＤ１３１で読み取られた画像データは読み取り処理部１１６に送信され、読み取り処理部１１６でデータ処理がなされる。データ処理が行われた画像データは圧縮ＩＣ１１８に送信され、圧縮ＩＣ１１８において所定の方法によって圧縮処理が行われる。圧縮後の画像データは、ＤＲＡＭ制御ＩＣ１１１を介して圧縮メモリー１２１に格納される。ＨＤＤ１２７に画像データを格納する場合は、圧縮メモリー１２１に格納された画像データがＨＤＤ１２７へ転送され、ＨＤＤ１２７に格納される。
【００６５】
第２に、画像データを外部から取得する場合について説明する。
画像形成装置１は、ネットワーク３を介して画像データを取得することができる。画像データとしては、例えば、外部装置４のアプリケーションプログラムにより生成されたものが挙げられる。該データは、ＬＡＮインターフェース１６５を介して画像処理部（プリント＆スキャナーコントローラー）１６０で受信され、その後、ＤＲＡＭ制御ＩＣ１６１の制御により、画像メモリー（ＤＲＡＭ）１６２またはＨＤＤ１６６に一旦格納される。画像メモリー（ＤＲＡＭ）１６２やＨＤＤ１６６に一旦格納されたデータは、ＰＣＩバス１１２を介してＤＲＡＭ制御ＩＣ１１１に転送され、その後、ページメモリー１２２に転送され、ページメモリー１２２に一旦格納される。
ページメモリー１２２に格納されたデータは、ＤＲＡＭ制御ＩＣ１１１を介して圧縮ＩＣ１１８に順次送られて圧縮処理され、ＤＲＡＭ制御ＩＣ１１１を介して圧縮メモリー１２１に格納される。圧縮処理されたデータをＨＤＤ１２７に格納する場合には、圧縮メモリー１２１に格納されたデータは、ＤＲＡＭ制御ＩＣ１１１を介してＨＤＤ１２７へ転送され、ＨＤＤ１２７に格納される。
【００６６】
次に、画像形成装置１において画像を出力する場合について説明する。
画像形成装置１で印刷を行う場合、圧縮メモリー１２１に格納された画像データを、ＤＲＡＭ制御ＩＣ１１１を介して伸長ＩＣ１２５に送出し、伸長ＩＣ１２５において画像データを伸長する。なお、ＨＤＤ１２７に格納された画像データを画像出力する場合は、画像データを一旦圧縮メモリー１２１に格納し、ＤＲＡＭ制御ＩＣ１１１を介して画像データを伸長ＩＣ１２５に送出し、画像データの伸長を行う。
【００６７】
伸長した画像データは書き込み処理部１２６へ送出され、書き込み処理部１２６において画像データに基づいて書き込み用データが生成される。生成された書き込み用データは、ＬＤ１５１へ転送され、プリンター部１５０のＬＤ１５１によって、書き込み用データに基づいて感光体１１ａへの書き込みが行われる。また、プリンター部１５０では、制御ＣＰＵ１１３の指令を受けたプリンター制御部１５２によって、本体給紙部１２、大容量給紙装置４０、搬送路１３、画像形成部１１などの各部の制御が行われる。これにより、プリンター部１５０において、画像形成、用紙への転写、定着、搬送路による後処理装置３０への搬送、後処理装置３０での後処理などが順次行われて印刷出力が行われる。
【００６８】
また、画像データとしては、不揮発メモリー１１５やＨＤＤ１２７などの記憶部に予め格納されたものを用いることができる。例えば、濃度調整用やトンボ用の画像チャートなどの画像を記憶部から読み出して一旦画像メモリー（ＤＲＡＭ）１２０に格納した後、用紙に画像形成をすることができる。
【００６９】
次に、後処理の内容を考慮して調整用チャートを印刷し、調整用チャートの読取結果に基づいて画像調整を行う動作について説明する。
印刷後の出力物に対しては、折り処理などの後処理を加えることがあり、後処理に、例えば、三つ折り、Ｚ折り、観音折り等を行うことがある。
後処理後の出力物では、後処理の結果によって近接する領域が生じることある。本実施形態では、後処理によって近接する領域に対し、設定された領域でひとつのまとまりとしてトンボ等の調整用画像を印刷するように制御することができる。
【００７０】
位置ずれや濃度むらの補正においては、調整用チャートを印刷した位置で最も精度が高くなる。例えば、位置ずれの補正を行う場合には、調整用チャートとして用紙上に複数のトンボマークを印字し、それらの中心点間の距離を測定することでどのような位置ずれが発生しているかを測定して、測定結果に基づいて補正値を算出するが、補正値の算出はトンボマークの位置毎に行われ、トンボマークを印字していない位置の補正値は、トンボマークの位置間の線形補間に基づいて行われる。このため、補正の精度としてはトンボマークを印字した位置で最も精度が高くなる。
このため後処理後に隣接する領域に調整用画像を形成することで、当該領域において高精度の補正を行うことが可能となり、後処理後に近接する領域における位置ずれや濃度むらを少なくすることができる。
【００７１】
以下、調整用チャートの印刷位置の決定方法を説明する。なお、以下の説明において、用紙の表面は本発明の第一面に相当し、用紙の裏面は本発明の第二面に相当する。
調整用チャートを出力する際に、制御部では、出力予定のジョブの用紙情報および後処理情報を取得する。その後、後処理の結果によって近接する用紙の領域を割り出し、その領域内の設定領域をひとまとまりの領域として調整用チャートの印刷を行う。なお、この際に割り出した領域をひとまとまりにする設定領域とするものであってもよい。なお、設定領域を制御部の制御によって決定する場合、互いに近接する領域の境界を基準にして、予め定めた距離や面積によって領域端部を定めることで設定領域を決定することができる。また、設定領域を予め定めておくものとしてもよい。
【００７２】
以下では後処理として折り処理をする例について説明する。折り処理は１枚の用紙を単位として処理が行われる。
後処理として内三つ折りを行う例について図３に基づいて説明する。
図３の上図に示す長尺な用紙Ｐを内三つ折りにする場合、図３の中央図に示すように、用紙Ｐを内側に折ることによって用紙表面の中央部分（領域Ａ１）と用紙裏面の端部（領域Ａ２）とが近接する。近接する領域において位置ずれがあると、図３の下図に示すように、近接する領域における位置ずれが目立ってしまい、クレームの対象となりうるので、領域Ａ１と領域Ａ２では高い補正精度が要求される。
そこで、調整用チャートの印刷時に内三つ折りによって近接する部分を考慮して、近接する位置をひとまとまりの領域として位置合わせ用のトンボマークを印字する。トンボマークは、本発明の位置合わせ画像に相当する。
【００７３】
図４は、後処理として内三つ折りを行う場合のトンボマークの印刷位置を示している。
図４の上段の図および中段の図に示すように、内三つ折りにより用紙表の中央部分の領域Ａ１と用紙裏の端部の領域Ａ２とが近接するため、後処理後に隣接する領域となる領域Ａ１とＡ２のそれぞれに対して、ひとまとまりの領域として位置合わせのトンボを印字する。印字された用紙は、画像読取が行われる。制御部では、測定したトンボマークの位置に従い印刷位置を補正する。
【００７４】
印刷位置の補正においては、トンボマークの中心点間の距離を測定して、目標とする印刷位置とのずれを判定して画像の補正値を算出する。トンボマークを印字していない位置では位置ずれを測定していないが、測定していない位置の補正値は測定した位置間の線形補間で求める。トンボマークの印字した位置付近で最も補正精度が高まるため、折りによって近接する領域にトンボマークを印字して測定を行うことにより、折りによって近接する位置同士での位置ずれが少なく抑えられる。
トンボマークの印字位置の決定は、用紙情報および後処理情報に基づいて行うことができる。例えば、用紙の搬送方向の長さと後処理の種類を取得することにより、後処理後に隣接する箇所を算出することができ、該領域に対してトンボマークを印字するように設定することができる。
なお、一般的には、位置合わせ用のトンボマークは用紙表裏の四隅に印字されることが多く、後処理を考慮しなければこのような位置にトンボマークが印字されることはない。
【００７５】
また、上記形態では、ひとまとまりとされる領域に、調整用チャートに位置合わせ用のトンボマークの印刷を行ったが、本発明としては調整用チャートの種類はトンボマークに限定されず、例えば、濃度むらを補正するための色パッチを印字してもよい。
長尺紙を用いて、後処理で内三つ折りにするジョブを出力する場合、折りによって近接する箇所に似通った色のコンテンツがある場合、濃度むらによって互いの見た目が異なるのは望ましくない。
そこで、調整用チャートではその近接する部分を考慮し、近接する位置同士に濃度測定用の色パッチを印字する。色パッチは、本発明の濃度調整用画像に相当する。調整時には、測定した色パッチの濃度に基づいて色むらの補正を行う。色パッチを印字した位置付近で最も補正精度が高まるため、折によって近接する位置同士での濃度差を少なく抑えることができる。
【００７６】
次に、後処理として中綴じを行う場合について図５に基づいて説明する。なお、綴じ処理は、複数枚の用紙を単位として行われる後処理である。
後処理として中綴じを行うと、図５の上段の図に示すように、用紙Ｐの表面の中央部分の領域Ａ３と裏面の中央部分の領域Ａ４が近接する。そこで、図５の下段に示すように、領域Ａ３および領域Ａ４をひとつのまとまりの領域とし、領域Ａ３、Ａ４においてトンボマークＴの印字を行う。調整時にはこれらのトンボマークを測定し、測定結果に基づいて位置合わせの補正を行うことで、中綴じ後に近接する領域における位置ずれを少なく抑えることができる。
なお、他の例と同様に、トンボマークの代わりに、濃度むらの補正を行うための色パッチを印刷してもよい。
【００７７】
次に、後処理としてＺ折りを行う場合について図６に基づいて説明する。
Ｚ折りを行う場合、図６の上段に示すように、用紙表の中央部分の領域Ａ５と、用紙表の端部側の中央部分の領域Ａ６とが近接し、後処理後に隣接した領域となる。このため、領域Ａ５と領域Ａ６とをひとまとまりの領域として、図６下段に示すように、領域Ａ５、Ａ６のそれぞれにおいて位置合わせ用のトンボの印字を行う。調整時には、印字されたトンボの測定を行って印刷位置ずれの補正を行うことにより、領域Ａ５と領域Ａ６とにおいて高精度の補正を行うことができ、Ｚ折り後に近接する領域における位置ずれを少なく抑えることができる。なお、Ｚ折りの折り位置は図６の例に限定されず、任意の折り位置によってＺ折を行うことができるが、その場合は折り位置の設定に基づいて領域Ａ５と領域Ａ６は移動する。
なお、他の例と同様に、トンボマークの代わりに、濃度むらの補正を行うための色パッチを印刷してもよい。
【００７８】
次に、後処理として観音折りを行う場合について図７に基づいて説明する。
図７上段の図に示すように用紙に対して観音折りを行った場合、図７の中段に示すように、用紙表の中央部分の領域Ａ７と用紙裏の端部の領域Ａ８とが近接し（図７中段左）、用紙表の中央部分の領域Ａ１０と用紙裏の端部の領域Ａ９とが近接する（図７中段右）。したがって、後処理後には領域Ａ７と領域Ａ８とが隣接する領域となってひとまとまりの領域となり、領域Ａ９と領域Ａ１０とが隣接してひとまとまりの領域となる。
この場合は、図７の下段に示すように、領域Ａ７、Ａ８、Ａ９、およびＡ１０のそれぞれにおいて位置合わせ用のトンボの印刷を行う。その後、調整時にトンボの位置を測定し、測定結果に基づいて印刷位置のずれの補正を行う。領域Ａ７、Ａ８、Ａ９、およびＡ１０において高精度の補正を行うことが可能となり、観音折り後に近接する領域における位置ずれを少なく抑えることができる。
なお、他の例と同様に、トンボマークの代わりに、濃度むらの補正を行うための色パッチを印刷してもよい。
【００７９】
次に、後処理として四つ折りを行う場合について図８に基づいて説明する。
用紙に対して四つ折りを行った場合、図８の上段に示すように、用紙表の中央部分の領域Ａ１１と、用紙表の端部の中央部分の領域Ａ１２とが近接する。このため、領域Ａ１１および領域Ａ１２をひとまとまりの領域として、領域Ａ１１、Ａ１２において位置合わせ用のトンボマークの印字を行う。
調整時には、これらのトンボマークの測定を行って印刷位置の補正を行うことにより、領域Ａ１１と領域Ａ１２において高精度の補正を行うことができ、四つ折り後に領域における位置ずれを少なく抑えることができる。  
なお、上記形態と同様に、トンボマークの代わりに、濃度むらの補正を行うための色パッチを印刷してもよい。
【００８０】
上記動作においては、トンボマーク等の調整用画像の印刷位置は、ジョブで使用する用紙情報と、ジョブの後処理の内容とに基づいて決定することができるが、出力するジョブによって後処理の種類は異なるため、ジョブの後処理に合わせた補正がされることが望ましい。
そのため、ジョブを出力する際に、ジョブに設定されている後処理設定に基づいて、ジョブ出力前に、後処理を考慮した位置に調整用画像を印字した調整用チャートを出力し、調整用チャートに基づく補正を行う。これにより、ジョブの後処理に合わせた高精度の補正を行うことが可能となる。
【００８１】
なお、調整用チャートの印刷位置の決定方法は本発明としては特に限定されず、例えば、ジョブの用紙情報と後処理情報に基づいて、後処理後に近接する領域を制御部が自動で割り出して、当該領域を調整用画像の印刷位置としてもよい。または、用紙情報と後処理情報との組み合わせに応じた、後処理後に隣接する領域のデータをテーブルに保存しておき、ジョブの出力時にはテーブルを参照して調整用画像の印刷位置を決定してもよい。  
もしくは、ユーザーが後処理の結果によって近接する領域の内でひとまとまりの領域とする設定領域を決定して、調整用チャートの印刷位置を選択できるようにしてもよい。例えば、用紙情報と後処理情報とに基づき、後処理後に近接する領域を制御部がユーザーに提示し、それらの領域の中から、高精度の補正を行いたい領域をユーザーが選択するようにしてもよい。これにより、ユーザーが望む領域において高精度の補正を行うことが可能となる。ユーザーへの提示手段は特に限定されず、例えば、操作部１４０において選択肢を表示してもよく、外部機器４の操作表示部４１０において選択肢を表示してもよい。
【００８２】
なお、調整用チャートに基づく補正の方法は、本発明としては特に限定されない。例えば、出力した調整用チャートを画像読取部２４、２５で読み取り、読み取って取得した画像データを制御部において解析してトンボマークの距離を測定し、測定結果に基づいて画像形成位置等の補正を行ってもよく、また、出力された調整用チャートをプラテンガラス上にセットして読み取りを行い、読み取って取得した画像データの解析を行って補正を行うようにしてもよい。または、ユーザーが調整用チャートに基づいて補正を行ってもよい。
【００８３】
次に、調整用チャートを出力し、調整用チャートに基づいて補正を実行する手順を説明する。なお、以下の手順は、制御部の制御によって実行される。
図９は、用紙にトンボマークを印刷して補正を行う動作を示すフローチャートである。
ジョブが入力されると（ステップｓ１）、ジョブの用紙情報と後処理情報とを取得し（ステップｓ２）、ジョブの用紙情報と後処理情報とに基づいて、後処理後に隣接する領域を割り出して設定領域とする（ステップｓ３）。後処理後に近接する領域に対してトンボマークを印字する位置を決定し（ステップｓ４）、トンボマークを印字した調整用チャートを出力する（ステップｓ５）。
印刷後、画像読取部で調整用チャートの読み取りを行い（ステップｓ６）、読み取った調整用チャートからトンボ位置を測定して補正値を算出し（ステップｓ７）、補正値を画像形成部の制御に適用し（ステップｓ８）、ジョブの出力を行う（ステップｓ９）。その後、手順を終了する。
【００８４】
なお、上記説明では、後処理として内三つ折り、中綴じ、Ｚ折り、観音折り、四つ折りを例示したが、本発明としては後処理の内容は特に限定されない。すなわち、本発明の後処理としては、後処理前に隣接していなかった領域が隣接するようなものであればよく、例えば折り処理や綴じ処理を含む後処理であればよい。また、後処理は、用紙毎に対して行うものであってもよく、複数枚を単位として行うものであってもよい。
【００８５】
本実施形態によれば、印刷後の後処理により近接する箇所の濃度差や位置ずれを高精度に補正することができる。
【００８６】
以上、本発明について上記実施形態および添付図面に基づいて説明を行ったが、本発明の範囲は上記説明に限定されるものではなく、本発明の範囲を逸脱しない限りは前記実施形態に対する適宜の変更が可能である。
【符号の説明】
【００８７】
１    画像形成装置
３    ネットワーク
４    外部装置
１０    装置本体
１１    画像形成部
２０    読取装置
２４    画像読取部
２５    画像読取部
３０    後処理装置
３４    後処理部
４０    給紙装置
１００    制御部
１１３    制御ＣＰＵ
１１５    不揮発メモリー
１２７    ＨＤＤ
４００    外部装置制御部
【図１】
2018189728.tif 000003
【図２】
2018189728.tif 000004
【図３】
2018189728.tif 000005
【図４】
2018189728.tif 000006
【図５】
2018189728.tif 000007
【図６】
2018189728.tif 000008
【図７】
2018189728.tif 000009
【図８】
2018189728.tif 000010
【図９】
2018189728.tif 000011